(57)【要約】【課題】本発明によれば、貯湯タンクの内部の湯水の沸き上げ時に貯湯タンクの内部に圧縮された空気がある状態においても、吸気栓を開いた使用者に噴出した高温の湯水がかかってしまうことを防止することができる。【解決手段】貯湯タンクの湯水を水抜きの為に外部に排水する時に、貯湯タンクに繋がる内部流路を大気に連通させて空気を前記貯湯タンクの内部に供給させる吸気栓を備えており、貯湯タンクの内部に空気が供給される前に、貯湯タンクに繋がる内部流路を膨張水排出管に接続する接続流路が形成されることにより、貯湯タンクに繋がる内部流路の湯水を膨張水排出管に排出可能であることを特徴とする圧力逃し弁。【選択図】図１
2014031934.tif 000002
【特許請求の範囲】
【請求項１】
貯湯タンクの水道水を加熱している時に、前記貯湯タンクの内部の圧力が所定の圧力になった場合、前記貯湯タンクに繋がる内部流路を膨張水排出管に接続させて前記貯湯タンクの内部の圧力を所定の圧力以下に減少させる圧力逃し弁において、
前記貯湯タンクの湯水を水抜きの為に外部に排水する時に、前記貯湯タンクに繋がる内部流路を大気に連通させて空気を前記貯湯タンクの内部に供給させる吸気栓を備えており、
前記貯湯タンクの内部に空気が供給される前に、前記貯湯タンクに繋がる内部流路を前記膨張水排出管に接続する接続流路が形成されることにより、前記貯湯タンクに繋がる内部流路の湯水を前記膨張水排出管に排出可能であることを特徴とする圧力逃し弁。
【請求項２】
前記貯湯タンクに繋がる内部流路の湯水を前記膨張水排出管に排出した後に、前記膨張水排出管から空気を前記貯湯タンクの内部に供給させることを特徴とする請求項１に記載の圧力逃し弁。
【請求項３】
熱源機からの湯水を給湯配管を介して前記貯湯タンクに供給し、前記貯湯タンクからの湯水を出湯管を介して出湯するとともに、前記給湯配管又は前記出湯管の内部流路に請求項２に記載の圧力逃し弁を備える即湯システムにおいて、
前記膨張水排出管は、大気に連通する排水ホッパーを有する排水部に排水しており、
前記排水ホッパーからの空気を前記貯湯タンクの内部に供給させることを特徴とする圧力逃し弁を備える即湯システム。
【請求項４】
熱源機からの湯水を給湯配管を介して前記貯湯タンクに供給し、前記貯湯タンクからの湯水を出湯管を介して出湯するとともに、前記給湯配管又は前記出湯管の内部流路に請求項２に記載の圧力逃し弁を備える即湯システムにおいて、
前記吸気栓は、前記膨張水排出管からの空気を前記貯湯タンクの上部に接続される出湯管を介して前記貯湯タンクの上部に供給させることを特徴とする圧力逃し弁を備える即湯システム。
【発明の詳細な説明】
【技術分野】
【０００１】
本発明は、圧力逃し弁及び圧力逃し弁を備える即湯システムに関する。
【背景技術】
【０００２】
水道から供給される水道水を加熱して吐水する即湯器として、電気ヒーターを内部に有する貯湯タンクを備えた構造のものが知られている。このような即湯器は、予め電気ヒーターで加熱した状態で湯をタンク内に貯えておくことにより、吐水を開始した直後から適切な温度の湯水を吐水することができる。
【０００３】
従来の即湯器について、図６に基づき具体的に説明する。従来の即湯器は、熱源機１７からの湯水と貯湯タンク２内の湯水を混合する混合バルブ３と、沸き上げ時に貯湯タンク２内の圧力が所定の圧力より上昇しないように貯湯タンク２内の圧力を減少させる圧力逃し弁３６と、貯湯タンク２内の湯水を抜くために貯湯タンク２内に空気を供給する吸気栓３９と、を備えている。
【０００４】
水栓２２を開くと、給湯配管２９内の冷水が給湯口１０より貯湯タンク２へ供給されるとともに、所定の設定温度へ沸き上げられた高温の湯水が出湯管１３より混合バルブ３へと供給される。そして、給湯口１０よりバイパス管１６を経由して供給された給湯配管２９内の冷水と混合され、予め設定された設定温度で出湯口１２から吐出される。
【０００５】
その後、熱源機１７で作られた湯水が給湯配管２９及びバイパス管１６内の冷水と置換されて予め設定された混合温度以上の湯水が混合バルブ３へ到達すると、混合バルブ３内の感温素子が出湯管１３からの貯湯タンク２内の高温の湯水の流入を阻止し、熱源機１７からの湯水のみが混合バルブ３を通過して出湯口１２から吐出されるようになる。
【発明の概要】
【発明が解決しようとする課題】
【０００６】
混合バルブ３内の感温素子が貯湯タンク２内の高温の湯水の流入を阻止している状態において、貯湯タンク２内に空気が残っていると、貯湯タンク２内の湯水を電気ヒーター８で加熱すると、貯湯タンク２内の空気が圧縮される。特に、従来の即湯器は、貯湯タンク２内の圧力を減少させる圧力逃し弁３６を備えているものの、貯湯タンク２内の圧力が所定の圧力よりも低い場合、貯湯タンク２内の空気がそのまま圧縮され続けることになる。
【０００７】
貯湯タンク２内の空気が圧縮される状態において、給湯止水栓１９を閉めて排水栓１１を開いた後、吸気栓３９も開いて貯湯タンク２内や出湯管１３やバイパス管１６等の配管内の水を抜こうとすると、貯湯タンク２内に残った圧縮された空気のために、吸気栓３９から貯湯タンク２内の圧縮された空気とともに高温の湯水が噴出する恐れがあり、吸気栓３９を開いた使用者に噴出した高温の湯水がかかってしまうという問題があった。
【０００８】
本発明はこのような課題に鑑みてなされたものであり、その目的は、貯湯タンクの内部の湯水の沸き上げ時に貯湯タンクの内部に圧縮された空気がある状態においても、吸気栓を開いた使用者に噴出した高温の湯水がかかってしまうことを防止する即湯器を提供することにある。
【課題を解決するための手段】
【０００９】
上記課題を解決するために本発明に係る圧力逃し弁は、貯湯タンクの水道水を加熱している時に、前記貯湯タンクの内部の圧力が所定の圧力になった場合、前記貯湯タンクに繋がる内部流路を膨張水排出管に接続させて前記貯湯タンクの内部の圧力を所定の圧力以下に減少させる圧力逃し弁において、前記貯湯タンクの湯水を水抜きの為に外部に排水する時に、前記貯湯タンクに繋がる内部流路を大気に連通させて空気を前記貯湯タンクの内部に供給させる吸気栓を備えており、前記貯湯タンクの内部に空気が供給される前に、前記貯湯タンクに繋がる内部流路を前記膨張水排出管に接続する接続流路が形成されることにより、前記貯湯タンクに繋がる内部流路の湯水を前記膨張水排出管に排出可能であることを特徴とする。
【００１０】
本発明の圧力逃し弁によれば、貯湯タンクの内部の湯水の沸き上げ時に貯湯タンクの内部に圧縮された空気がある状態においても、貯湯タンクの内部に空気が供給される前に、貯湯タンクに繋がる内部流路を膨張水排出管に接続するため、吸気栓を開いた使用者に噴出した高温の湯水がかかってしまうことを防止することができる。
【００１１】
また、本発明に係る圧力逃し弁では、貯湯タンクに繋がる内部流路の湯水を前記膨張水排出管に排出した後に、前記膨張水排出管から空気を前記貯湯タンクの内部に供給させることを特徴とする。
【００１２】
この好ましい態様では、前記膨張水排出管から空気を前記貯湯タンクの内部に供給させるため、吸気栓を開いた使用者に噴出した高温の湯水がかかってしまうことを確実に防止し、吸気栓を開いた時の安全性を高めることができる。
【００１３】
また、本発明に係る圧力逃し弁を備える即湯システムでは、熱源機からの湯水を給湯配管を介して前記貯湯タンクに供給し、前記貯湯タンクからの湯水を出湯管を介して出湯するとともに、前記給湯配管又は前記出湯管の内部流路に圧力逃し弁を備える即湯システムにおいて、前記膨張水排出管は、大気に連通する排水ホッパーを有する排水部に排水しており、前記排水ホッパーからの空気を前記貯湯タンクの内部に供給させることを特徴とする。
【００１４】
この好ましい態様では、前記排水ホッパーからの空気を前記貯湯タンクの内部に供給させるため、膨張水排出管に大気に連通する空気を供給する開口を設ける必要がない。
【００１５】
また、本発明に係る圧力逃し弁を備える即湯システムでは、熱源機からの湯水を給湯配管を介して前記貯湯タンクに供給し、前記貯湯タンクからの湯水を出湯管を介して出湯するとともに、前記給湯配管又は前記出湯管の内部流路に請求項２に記載の圧力逃し弁を備える即湯システムにおいて、前記吸気栓は、前記膨張水排出管からの空気を前記貯湯タンクの上部に接続される出湯管を介して前記貯湯タンクの上部に供給させることを特徴とする。
【００１６】
この好ましい態様では、吸気栓を開いた使用者に噴出した高温の湯水がかかってしまうことを防止しながら、膨張水排出管からの空気を貯湯タンクの上部に効率的に供給して貯湯タンクの湯水を排水管から排水しやすい構成になる。
【発明の効果】
【００１７】
本発明によれば、貯湯タンクの内部の湯水の沸き上げ時に貯湯タンクの内部に圧縮された空気がある状態においても、吸気栓を開いた使用者に噴出した高温の湯水がかかってしまうことを防止することができる。
【図面の簡単な説明】
【００１８】
【図１】本発明の即湯器のシステム図である。
【図２】本発明の吸気栓付き圧力逃し弁の吸気栓を閉めた状態の断面図である。
【図３】本発明の吸気栓付き圧力逃し弁の吸気栓を閉めた状態において圧力逃し機構部が作動した場合の断面図である。
【図４】本発明の吸気栓付き圧力逃し弁の吸気栓を開けた状態において排水経路を示す断面図である。
【図５】本発明の吸気栓付き圧力逃し弁の吸気栓を開けた状態において吸気経路を示す断面図である。
【図６】従来の即湯器のシステム図である。
【発明を実施するための形態】
【００１９】
以下、本発明の即湯器について図を用いて説明する。図１は本発明の即湯器のシステム図である。尚、図６と同じ構成は同じ符号を付し、その説明を省く。
【００２０】
図１に示すように、本発明の即湯器１は、水道水を加熱して貯湯する貯湯タンク２と、貯湯タンク２の湯水を貯湯タンク２から吐水部である水栓２２に出湯する出湯管１３と、貯湯タンク２の湯水を排水する排水管１５と、出湯管１３の内部流路を開閉することで貯湯タンク２の湯水を貯湯タンク２から水栓２２に給水又は止水する開閉手段である混合バルブ３と、を備えている。
【００２１】
また、本発明の即湯器１は、貯湯タンク２の水道水を加熱している時に、貯湯タンク２の内部の圧力が所定の圧力になった場合、混合バルブ３の上流側の内部流路を膨張水排出管２６に接続させ、貯湯タンク２の内部の圧力を所定の圧力以下に減少させる圧力逃し機構部７と、貯湯タンク２の湯水を排水管１５から排水する時に、貯湯タンク２の内部を大気に連通させ、貯湯タンク２の内部に空気を供給する吸気機構部６と、も備えている。
【００２２】
図２に示すように、吸気栓付き圧力逃し弁５は吸気機構部６と圧力逃し機構部７との一体で構成されており、吸気機構部６は吸気をさせるために回転させる吸気栓ねじ部３１を備えた吸気栓３９と、吸気・排水通路４１を封止するためのＯリング３０と、吸気栓３９が外れないようにするための抜け止めねじ３２とで構成され、圧力逃し機構部７は弁座３３と、バネ３４と、開口部３８を備えたバネ押え３７と、膨張水排出通路３５とで構成されている。尚、吸気栓３９は回し過ぎて外れるのを防ぐために抜け止めねじ３２を備えており、膨張水排出通路３５以外からの噴出を防止することができる。また、圧力逃し機構部７は、洗面器２１の洗面器排水管２３に取り付けられた排水ホッパー２４へ膨張水排出管２６にて接続されている。この排水ホッパー２４には大気に連通する開口部２５が形成されている。
【００２３】
図２は、本発明の吸気栓付き圧力逃し弁５の吸気栓３９を閉めた状態の断面図であるが、圧力逃し機構部７は、沸き上げ時の貯湯タンク２内の水の膨張による圧力上昇時に、貯湯タンク２内の圧力がバネ３４の押し力より大きくなると、図３に示すように弁座３３が図の右方向へ移動し、その結果、膨張水が矢印Ａ１で示すように貯湯タンク２内から圧力逃し通路４０へ排出され、そして矢印Ａ２で示すようにバネ押え３７に設けられた開口部３８を経由し、矢印Ａ３に示すように膨張水排出通路３５から排出され、貯湯タンク２が保護される。そして、膨張水排出通路３５から排出された膨張水は、膨張水排出管２６を経由して洗面器排水管２３に取り付けられた排水ホッパー２４へと排出される。
【００２４】
更に、本発明の即湯器１は、吸気機構部６が、貯湯タンク２の内部に空気を供給する前に、開閉手段である混合バルブ３の上流側の内部流路を膨張水排出通路３５に接続する接続流路４２が形成され、貯湯タンク２の湯水を膨張水排出通路３５に排出可能としている。
【００２５】
図４は、本発明の吸気栓付き圧力逃し弁の吸気栓を開けた状態において排水経路を示す断面図であるが、貯湯タンク２を満水にする際に、吸気栓３９を回転させると、吸気栓３９が図の右方向へ移動し、Ｏリング３０でシールされていた吸気・排水通路４１が開放される。そのため、吸気・排水通路４１→接続流路４２→バネ押え３７の開口部３８→膨張水排出通路３５の経路が確保され、ここから貯湯タンク２内の空気が逃げることにより、貯湯タンク２を満水にすることができる。
【００２６】
凍結防止等のために貯湯タンク２内や出湯管１３やバイパス管１６等の配管内の水を排出させる際には、給湯止水栓１９を閉めて排水栓１１を開き、吸気栓３９を回転させると、吸気・排水通路４１→接続流路４２→バネ押え３７の開口部３８→膨張水排出通路３５の経路が確保される。貯湯タンク２の湯水を膨張水排出通路３５に排出した後に、図５に示すように排水ホッパー２４に設けられた開口部２５から膨張水排出管２６を経由して、膨張水排出通路３５→バネ押え３７の開口部３８→接続流路４２→吸気・排水通路４１を経由して、矢印Ｃ５〜矢印Ｃ１で示すように外気が取り込まれることになり、問題なく、貯湯タンク２内や出湯管１３やバイパス管１６等の配管内の水の排出ができる。
【００２７】
本発明に係る即湯器１は、万一、貯湯タンク２内に圧縮された空気が溜まっていても、吸気機構部６が貯湯タンク２の内部に空気を供給する前に、混合バルブ３の上流側の内部流路を膨張水排出通路３５に接続し、膨張水排出管２６を経由して排水ホッパー２４へ排出されるため、吸気機構部６を開いた使用者に噴出した高温の湯水がかかってしまうことを防止することができる。また、外気を膨張水排出管２６から貯湯タンク２の内部に供給するため、吸気機構部６を開いた使用者に噴出した高温の湯水がかかってしまうことを確実に防止し、吸気機構部６を開いた時の安全性を高めることができる。更に、吸気機構部６が貯湯タンク２の上部に接続される出湯管１３を介して外気を貯湯タンク２の上部に供給するため、外気を貯湯タンクの上部に効率的に供給して貯湯タンクの湯水を排水管から排水しやすい構成になる。
【００２８】
また、熱源機１７が高温の湯水しか供給できず、かつ、熱源機１７から即湯器１までの給湯配管２９が短い場合において、設置直後の試運転時等の貯湯タンク２が満水になる前に、予め設定された混合温度（例えば３８℃）以上の湯水が混合バルブ３へ到達し、混合バルブ３内の感温素子が出湯管１３からの貯湯タンク２内の高温の湯水の流入を阻止しても、吸気栓３９を回して吸気・排水通路４１を開放しておくことにより、吸気・排水通路４１→接続流路４２→バネ押え３７の開口部３８→膨張水排出通路３５の経路より矢印Ｂ１から矢印Ｂ５で示すように貯湯タンク２内の空気を排出し、貯湯タンク２内を満水にできる。
【００２９】
その結果、予め設定された温度の湯水を出湯させるための混合バルブ３を備えた即湯器１において、熱源機１７が高温の湯水しか供給できず、かつ、熱源機１７から即湯器１までの給湯配管２９が短い場合においても、貯湯タンク２に空気が残ることなく満水にすることができて、水抜き時に、吸気機構部６から貯湯タンク２の高温の湯水が噴出する恐れがなく、かつ、コンパクトな即湯器１を実現でき、洗面化粧台やキッチンのキャビネット内に設置する際に、引き出し等に干渉することがなく設置できるようになる。
【００３０】
以上のように、吸気経路と圧力逃し経路を共通にするとともに、吸気機構部６と圧力逃し機構部７を一体化する構成とすることにより、吸気機構部６と圧力逃し機構部７を小さくすることができ、コンパクトな即湯器１を実現できる。
【符号の説明】
【００３１】
１…即湯器
２…貯湯タンク
３…混合バルブ
４…逆止弁
５…吸気栓付き圧力逃し弁
６…吸気機構部
７…圧力逃し機構部
８…電気ヒーター
９…温度調節器
１０…給湯口
１１…排水栓
１２…出湯口
１３…出湯管
１４…吸気管
１５…排水管
１６…バイパス管
１７…熱源機
１８…給水源
１９…給湯止水栓
２０…給水止水栓
２１…洗面器
２２…水栓
２３…洗面器排水管
２４…排水ホッパー
２５…開口部
２６…膨張水排出管
２７…出湯配管
２８…給水配管
２９…給湯配管
３０…Ｏリング
３１…吸気栓ねじ部
３２…抜け止めねじ
３３…弁座
３４…バネ
３５…膨張水排出通路
３６…手動操作レバー付き圧力逃し弁
３７…バネ押え
３８…開口部
３９…吸気栓
４０…圧力逃し通路
４１…吸気・排水通路
４２…接続流路
【図１】
2014031934.tif 000003
【図２】
2014031934.tif 000004
【図３】
2014031934.tif 000005
【図４】
2014031934.tif 000006
【図５】
2014031934.tif 000007
【図６】
2014031934.tif 000008